(57)【要約】  協同ベースの安全なファイル転送メカニズムを有する医療イメージングアプリケーションを提供するシステムおよび方法。いくつかの実施によると、医療イメージングアプリケーションはユーザ・インタフェースを提供してもよく、そこで特定の患者記録をユーザが選択してもよい。それから医療イメージングアプリケーションはイメージビューアを起動してもよく、そこでユーザは患者のイメージデータを閲覧および操作してもよい。複数のユーザが患者のイメージデータを共に閲覧および操作しうるように、ユーザ・インタフェース内から協同セッションを起動してもよい。ユーザは、患者データが格納されたホスト施設から離れて位置してもよい。患者をホスト施設から他の施設へ移すべきと判断される場合、それから協同セッション内から、ホスト施設のユーザは、患者のイメージデータおよび他の患者情報の受け入れ施設への安全なデータ転送を開始してもよい。【選択図】図２
2015524112.tif 000002
【特許請求の範囲】
【請求項１】
関連するメタデータを有するイメージデータの第１の位置から第２の位置への転送を開始する方法であって、
前記イメージデータの少なくとも一部を表示するため、ユーザ・インタフェースを計算装置へ表示するイメージデータ閲覧アプリケーションを実行することと、
前記ユーザ・インタフェース内から少なくとも１つのデータフィールドを有する電子転送メカニズムを始動することであって、前記少なくとも１つのデータフィールドは前記イメージデータの前記第１の位置から前記第２の位置への転送を開始するために使用されることと、
前記イメージデータ閲覧アプリケーションにより、前記少なくとも１つのデータフィールドを予め投入するよう前記電子転送メカニズムへメタデータを提供することと
を含む、方法。
【請求項２】
前記電子転送メカニズム内に前記第２の位置の指示を受信することをさらに含む、請求項１に記載の方法。
【請求項３】
前記電子転送メカニズムが、前記ユーザ・インタフェース内に表示される前記イメージデータの選択を受信する、請求項１または２に記載の方法。
【請求項４】
表示のため、データベースから前記イメージデータの少なくとも一部を取り出すことをさらに含む、請求項１〜請求項３のいずれか１項に記載の方法。
【請求項５】
前記ユーザ・インタフェース内から協同セッションを始動する指示を受信し、少なくとも１つのリモート計算装置に前記イメージデータの少なくとも一部を同期して表示するよう誘導することをさらに含む、請求項１〜請求項４のいずれか１項に記載の方法。
【請求項６】
リモートアクセスサーバを使用して前記協同セッションへのアクセスを提供することをさらに含む、請求項５に記載の方法。
【請求項７】
前記少なくとも１つのリモート計算装置が前記第２の位置に関連付けられる、請求項５または６に記載の方法。
【請求項８】
前記イメージデータ閲覧アプリケーションが医療イメージングアプリケーションである、請求項１〜７のいずれか１項に記載の方法。
【請求項９】
前記イメージデータおよび前記関連するメタデータを、前記第１の位置から前記第２の位置へ転送することをさらに含む、請求項１〜８のいずれか１項に記載の方法。
【請求項１０】
統合された安全なファイル転送起動メカニズムを有するイメージデータ閲覧アプリケーション内からイメージデータの第１の位置から第２の位置への転送を開始する方法であって、
前記イメージデータ閲覧アプリケーションのユーザ・インタフェース内に前記イメージデータの少なくとも一部を表示することと、
前記安全なファイル転送メカニズムを起動する指示を受信することであって、前記安全なファイル転送メカニズムは前記イメージデータの前記第１の位置から前記第２の位置への転送を容易にする少なくとも１つのデータフィールドを有するファイル転送ユーザ・インタフェースを表示することと、
前記イメージデータに関連する予め定められた情報を前記少なくとも１つのデータフィールドに予め投入することであって、前記予めの投入は前記イメージデータ閲覧アプリケーションにより実行されることと、
前記第２の位置に関連するデータベース内に格納するため、前記イメージデータおよび前記予め定められた情報を前記第１の位置から前記第２の位置へ転送することと
を含む、方法。
【請求項１１】
前記ユーザ・インタフェース内に表示するため、前記第１の位置に関連するデータベースから前記イメージデータの少なくとも一部を取り出すことと、
前記第１の位置に関連する前記データベースから前記イメージデータおよび前記予め定められた情報を前記第２の位置へ転送することと
をさらに含む、請求項１０に記載の方法。
【請求項１２】
前記ユーザ・インタフェースから協同セッションを開始し、少なくとも１人のリモート協力者に、前記少なくとも１人のリモート協力者に関連するリモートデータ閲覧ユーザ・インタフェース内で前記イメージデータの少なくとも一部を同期して見るよう誘導することをさらに含む、請求項１０または１１に記載の方法。
【請求項１３】
前記協力者のそれぞれが、前記協同セッション内で表示するため前記イメージデータの少なくとも一部を操作しうるようなメカニズムを提供することをさらに含む、請求項１２に記載の方法。
【請求項１４】
前記少なくとも１人のリモート協力者が前記第２の位置に関連付けられ、前記第２の位置に関する宛先情報が前記協同セッションから前記安全なファイル転送メカニズムに提供される、請求項１２に記載の方法。
【請求項１５】
前記予め定められた情報が、前記イメージデータに関連するメタデータ内に含まれる、請求項１０〜請求項１４のいずれか１項に記載の方法。
【請求項１６】
前記予め定められた情報を、前記第２の位置に関連する前記データベース内にメタデータとして格納することをさらに含む、請求項１０〜１５のいずれか１項に記載の方法。
【請求項１７】
前記ファイル転送ユーザ・インタフェースの他のデータフィールドに投入する、付加された情報を受信することをさらに含む、請求項１０〜１７のいずれか１項に記載の方法。
【請求項１８】
統合された安全なファイル転送起動メカニズムを有するイメージデータ閲覧アプリケーションを用いてイメージデータの転送を開始する方法であって、
前記イメージデータ閲覧アプリケーションのユーザ・インタフェース内に前記イメージデータの少なくとも一部を表示することであって、前記イメージデータの少なくとも一部は第１の位置に関連するデータベースから取り出されることと、
前記ユーザ・インタフェース内で受信された入力に応え、安全なファイル転送メカニズムに関連するファイル転送ユーザ・インタフェースを起動することであって、前記ファイル転送ユーザ・インタフェースは少なくとも１つのデータフィールドを有することと、
少なくとも１つのデータフィールドに前記イメージデータに関連する情報を予め投入することと、
前記第１の位置に関連する前記データベースから前記イメージデータおよび情報を第２の位置に関連する前記データベースへ転送することと
を含む、方法。
【請求項１９】
前記第１の位置に関連する前記データベースおよび前記第２の位置に関連する前記データベースのうち少なくとも１つを、クラウドサービスとして提供することをさらに含む、請求項１８に記載の方法。
【請求項２０】
前記第１の位置に関連する前記データベース内に格納されたメタデータから前記イメージデータに関連する情報を取り出すことをさらに含む、請求項１８または１９に記載の方法。
【請求項２１】
最初に一時的な格納場所から前記イメージデータ閲覧アプリケーションのユーザ・インタフェース内に前記イメージデータの少なくとも一部を提供することと、
前記第２の位置へ前記イメージデータを転送する前に、前記一時的な格納場所から前記第１の位置に関連する前記データベースへ前記イメージデータを進めることと
をさらに含む、請求項１８〜請求項２０のいずれか１項に記載の方法。
【請求項２２】
前記ユーザ・インタフェースから協同セッションを開始し、少なくとも１人のリモート協力者に、前記少なくとも１人のリモート協力者に関連するリモートデータ閲覧ユーザ・インタフェース内で前記イメージデータの少なくとも一部を同期して見るよう誘導することをさらに含む、請求項１８〜請求項２１のいずれか１項に記載の方法。
【請求項２３】
前記少なくとも１人のリモート協力者が前記第２の位置に関連付けられ、前記第２の位置に関する宛先情報が前記協同セッションから前記安全なファイル転送メカニズムへ提供される、請求項２２に記載の方法。
【発明の詳細な説明】
【背景技術】
【０００１】
今日、医療の分野では１つの場所から他に患者のデータを移す問題がある。例えば、患者が診療所または他の病院で以前に検査を受けた場合、新しいセンタまたは治療センタでそれらの検査結果を取得することは非常に困難でありえる。これは、しばしば患者の以前の検査結果が使用されない、または患者を再度走査する必要があり、潜在的に過剰な放射線をもたらす結果となる。患者データが移される場合、患者自身が検査結果が入ったＣＤを提供され、それがそれから他の場所へ運ばれることがしばしばである。ＣＤを作成する場所にとっては、ＣＤの作成および取り込みに関連するワークフローは非常に費用および時間がかかりうるし、ＣＤ上の患者データを既存の患者イメージデータシステム内に取り込む受け入れ施設にとっては厄介でありうる。
【発明の概要】
【発明が解決しようとする課題】
【０００２】
これらの問題に対処する試みの１つは、施設間で患者イメージファイルを通信するよう開発された、安全な転送メカニズムである。これは、再度の走査、およびＣＤの運搬および作成の必要をなくす。そのようなメカニズムに加入する施設はｗｅｂインタフェースを通してそれらのデータを管理可能で、それらが関連するかもしれない、または関連しないかもしれない他の施設にデータをプッシュまたは他の施設から要求可能である。これはＣＤの運搬を改善するが、それは単に転送メカニズムである。
【課題を解決するための手段】
【０００３】
本明細書中に開示されるのは、協同ベースの安全なファイル転送メカニズムを有する医療イメージングアプリケーションを提供するシステムおよび方法である。いくつかの実施によると、第１の位置から第２の位置へ関連するメタデータを有するイメージデータの転送を開始する方法が提供される。方法は、イメージデータの少なくとも一部を表示するため、ユーザ・インタフェースを計算装置へ表示するイメージデータ閲覧アプリケーションを実行するステップと、前記ユーザ・インタフェース内から少なくとも１つのデータフィールドを有する電子転送メカニズムを始動し、前記少なくとも１つのデータフィールドは前記イメージデータの前記第１の位置から前記第２の位置への転送を開始するために使用されるステップと、前記イメージデータ閲覧アプリケーションにより、前記少なくとも１つのデータフィールドを予め投入するよう前記電子転送メカニズムへメタデータを提供するステップを含んでもよい。
【０００４】
他の態様によると、統合された安全なファイル転送メカニズムを有するイメージデータ閲覧アプリケーション内から、イメージデータの第１の位置から第２の位置への転送を開始する方法が提供される。方法は、イメージデータ閲覧アプリケーションのユーザ・インタフェース内にイメージデータの少なくとも一部を表示するステップと、安全なファイル転送メカニズムを起動する指示を受信し、前記安全なファイル転送メカニズムは前記イメージデータの第１の位置から第２の位置への転送を容易にする少なくとも１つのデータフィールドを有するファイル転送ユーザ・インタフェースを表示するステップと、前記イメージデータに関連する予め定められた情報を前記少なくとも１つのデータフィールドに予め投入し、前記予めの投入は前記イメージデータ閲覧アプリケーションにより実行されるステップと、前記イメージデータおよび前記予め定められた情報を前記第１の位置から前記第２の位置へ転送するステップを含んでもよい。
【０００５】
さらに他の態様によると、統合された安全なファイル転送メカニズムを有するイメージデータ閲覧アプリケーションを用いて、イメージデータの転送を開始する方法が提供される。方法は、イメージデータ閲覧アプリケーションのユーザ・インタフェース内にイメージデータの少なくとも一部を表示し、前記イメージデータの少なくとも一部は第１の位置に関連するデータベースから取り出されるステップと、前記ユーザ・インタフェース内で受信された入力に応え、安全なファイル転送メカニズムに関連するファイル転送ユーザ・インタフェースを起動し、前記ファイル転送ユーザ・インタフェースは少なくとも１つのデータフィールドを有するステップと、少なくとも１つのデータフィールドに前記イメージデータに関連する情報を予め投入するステップと、前記第１の位置に関連する前記データベースから前記イメージデータおよび情報を第２の位置に関連する前記データベースへ転送するステップを含んでもよい。
【０００６】
他のシステム、方法、機能および／または利点は、以下の図および詳細な記載を調べると当業者に明らかであり、または明らかになりうる。全てのそのような付加的なシステム、方法、機能および／または利点は、この記載内に含まれ、添付の請求項により保護されることを意図する。
【０００７】
図内の構成要素は、互いに対して必ずしも縮尺通りではない。同一の参照番号は、いくつかの図を通して対応する部分を指す。
【図面の簡単な説明】
【０００８】
【図１】イメージデータが発信元位置から宛先位置へ安全に転送されうる環境例を示す。
【図２】図１の環境で実行されうるワークフロー例を示す。
【図３】図１の環境で実行されうる他のワークフロー例を示す。
【図４】図２および図３のワークフローに関連するユーザ・インタフェースを示す。
【図５】図２および図３のワークフローに関連するユーザ・インタフェースを示す。
【図６】図２および図３のワークフローに関連するユーザ・インタフェースを示す。
【図７Ａ】図２および図３のワークフローに関連するユーザ・インタフェースを示す。
【図７Ｂ】図２および図３のワークフローに関連するユーザ・インタフェースを示す。
【図７Ｃ】図２および図３のワークフローに関連するユーザ・インタフェースを示す。
【図８】図１の環境内の他の運用面のワークフローを示す。
【図９】図１の環境内の他の運用面のワークフローを示す。
【図１０】図１の環境のさらなる詳細を示すブロック図である。
【図１１】例示的な計算装置を示す。
【発明を実施するための形態】
【０００９】
別に定義する場合を除いて、本明細書で使用する全ての技術および科学用語は、当業者が一般的に理解するのと同一の意味を持つ。本明細書に記載されたものと同様または均等な方法および素材を、本開示の実践またはテストに使用可能である。実施をリモートアクセスアプリケーションについて記載するが、実施がこれらに限定されず、リモート装置を介したあらゆるタイプのデータまたはサービスのリモートアクセスに適用可能であることは当業者に明らかになる。
【００１０】
概要
図１は、イメージデータ１０２を発信元位置１０４から宛先位置１０８へ安全に転送しうる環境１００の例を示す。本開示の態様によると、発信元位置１０４に関連するホストコンピュータ１０６上で実行するデータ閲覧アプリケーション（例えばＣａｌｇａｒｙ  Ｓｃｉｅｎｔｉｆｉｃ  Ｉｎｃ．のＲＥＳＯＬＵＴＩＯＮＭＤのような医療イメージングアプリケーション）のユーザは、ホストコンピュータ１０６と宛先位置１０８に関連する参加コンピュータ１１０の協力者の間の協同のイメージ閲覧セッション内から起動される安全なデータ転送メカニズム１１２を用いて、発信元施設または位置１０４から宛先施設または位置１０８へイメージデータ（例えば、患者のイメージデータ）の転送を開始可能である。図１には１つの参加コンピュータ１１０および１つの宛先位置１０８が示されるが、２つ以上の参加コンピュータ１１０および２つ以上の宛先１０８が環境１００内にあってもよいと考えられるので、本開示はそのような構成に限定されない。いくつかの実施で、発信元位置１０４は患者が現在治療中の施設であってもよく、宛先位置１０８は追加治療のため患者が移されるかもしれない施設であってもよい。示されるように、種々のエンティティは、ネットワーク１１４上で直接または間接的のどちらかで互いに通信してもよい。
【００１１】
イメージデータの転送はホストコンピュータ１０６により開始されると記載するが、協同イメージ閲覧セッション内のあらゆる参加者が、イメージデータの転送を開始してもよい。さらに、参加者は、特定の位置に関連する計算装置を用いる必要はない。
【００１２】
ワークフロー例
図２は、図１の環境１００内で実行されうるワークフロー例を示す。最初、地方の施設または病院（発信元位置１０４）に関連するホストコンピュータ１０６のユーザは、イメージデータ１０２の少なくとも部分を見ているかもしれない（ステップ１）。イメージデータをリモートサーバで処理してもよく、そのケースでは、レンダリングされたビューはホストコンピュータに送信され、またはイメージデータ自身を処理のためホストコンピュータに送信してもよい。ホストコンピュータ１０６のユーザは、大規模な都会の医療センタ（宛先位置１０８）に関連する参加コンピュータ１１０を操作しているユーザを誘うことにより、協同セッションを開始してもよい（ステップ２）。患者をその大規模な施設に移送する必要がある場合、ユーザは、協同で見るかもしれない。
【００１３】
患者をその大規模な医療センターに移すと決定された場合、協同セッション内から、ホストコンピュータ１０６を操作しているユーザは、安全なデータ転送メカニズム１１２に関連する転送ユーザ・インタフェースを起動するユニフォームリソースロケータ（ＵＲＬ）を起動する転送ボタンを選択可能である。転送ユーザ・インタフェースの少なくとも１つのデータフィールドを予め投入するよう、イメージデータ１０２に関連するメタデータおよび宛先位置情報が安全なデータ転送メカニズム１１２に提供される（ステップ３ａおよび３ｂ）。例えば、安全な転送メカニズム１１２は、メタデータを取得するようデータベース内の自動検索を実行してもよく、ならびに参加コンピュータ１１０に関連する宛先施設情報を自動的に追加してもよく、これは協同セッション内から可能である。いくつかの実施で、ユーザは宛先位置１０８を選択または入力してもよい。次に、イメージデータ１０２（例えば、患者のイメージデータ）とメタデータ（例えば、関連する患者情報）が、宛先位置１０８での取り込みのため通信される（ステップ４ａおよび４ｂ）。例えば、転送されたイメージデータ１０２を、宛先位置のイメージングシステム内に格納してもよい。
【００１４】
よって、前述のワークフローは、患者データおよび情報のようなイメージデータが、受け入れる施設のデータベースと互換性があるような方法で入力および操作されることを可能にする。仮想腫瘍委員会で同様の機能を提供してもよく、そこで参加者自身の記録のため再検討されたデータを彼らに送信してもよく、症例検討会がある施設へ教え、および／または症例を後の再検討のため教示する画像保存通信システム（ＰＡＣＳ）内へプッシュしてもよい。
【００１５】
また前述のワークフローは、少なくともいくつかの転送情報が転送ユーザ・インタフェース内に予め投入され、ユーザがイメージデータを協同して見るとき、正確なイメージデータが発信元位置から宛先位置へ転送されている保証レベルを提供する。
【００１６】
いくつかの実施で、安全なデータ転送メカニズムは医療イメージングアプリケーションを起動してもよい。受け入れ施設または専門医が安全なデータ転送メカニズムおよび医療イメージングアプリケーションの両方へのアクセスを有するとき、そのような実施を使用してもよい。ユーザは検討を要求でき、それは安全な転送メカニズムを通して送信される。検討が受信された後、ユーザは医療イメージングアプリケーションを起動してそのケースを再検討可能である。そのケースを他の施設または患者とでさえともに再検討するため、協同セッションを他のユーザと開始してもよい。
【００１７】
図３は、図１の環境内で実行されうる他のワークフロー例のフローチャート３００を示す。図３のオペレーショナルフローは、協同セッションを開始可能なデータ閲覧アプリケーション内で実行してもよい他の例である。図４〜図７は、図３で実行される動作に関連するユーザ・インタフェースを示す。
【００１８】
３０２で、医療イメージングアプリケーションが発信元位置に関連するホストコンピュータで起動される。例えば、ホストコンピュータ１０６のユーザは、発信元位置のサーバにアクセスすることにより、医療イメージングアプリケーションと対話してもよい。後述するように、ホストコンピュータは、ＰＡＣＳデータベースからイメージデータを、および／またはイメージデータからレンダリングされたイメージを提供する発信元位置１０４のコンピュータサーバにアクセスする診断ワークステーションであってもよい。３０４で、発信元位置からのイメージデータが、閲覧アプリケーションで閲覧のため処理される。例えば、イメージデータは患者のイメージデータであってもよく、図４に示されるように、発信元位置１０４のローカルＰＡＣＳデータベース内に常駐する患者のイメージデータファイル（検討）を一覧表にするユーザ・インタフェース４００を起動してもよい。示されるように、ユーザ・インタフェース４００は、ユーザが記録を患者名、日付の範囲、モダリティなどでソートし、結果をソートすることを可能にする。ユーザがユーザ・インタフェース４００内の特定の記録を選択すると、ホストコンピュータ１０４でユーザが見て対話するため、それから患者のイメージデータが発信元位置１０４のＰＡＣＳデータベースから医療イメージングアプリケーションへ転送される。他のユーザに（レンダリングされたビューとして）イメージデータを見るよう誘い、イメージデータを転送するよう、後述するように協同ボタン４０２および転送ボタン４０４が提供される。
【００１９】
３０６で、協同セッションをホストコンピュータにより開始してもよい。例えば、図５に示されるように、ユーザがホストコンピュータ１０６上のユーザ・インタフェース５００内の患者のイメージデータを見ているとき、ユーザは協同ボタン４０２を押すことにより協同セッションを開始し、協同セッションウィンドウ５０２を起動して他者にセッションに接続してユーザ・インタフェース５００に示された画像を見るよう誘ってもよい。同様に、図６に示されるように、例えばｉＰａｄのようなモバイル装置上に表示して、ユーザが協同ウィンドウ６０２を起動して他者をセッションに接続することを可能にしうるユーザ・インタフェース６００が示される。本開示の態様によると、協同セッションの一部であるクライアント計算装置のタイプに適合するユーザ・インタフェースを表示してもよい。
【００２０】
図５に示されるように、ユーザは観点の参加者に勧誘を通信し、彼らは電子メール、ＳＭＳメッセージなどの中のＵＲＬをクリックすると、前述のように協同セッションに接続される。よって、３０８で、セッションの協力者間でイメージデータを見てもよい。協同セッションの間、協力者は患者のイメージデータを操作して患者の状態に関する情報を確認してもよい。協力者は、患者のイメージデータを見て、例えば患者を他の施設へ移すといった治療に関する判断をしてもよい。３１０で、ホスト協力者は転送ボタン４０４を始動してもよく、転送ボタン４０４を後述のように患者のイメージデータ転送を開始するよう協同セッションウィンドウ４００または５０２内に設けてもよい。
【００２１】
３１２で、転送ユーザ・インタフェースが起動される。転送ユーザ・インタフェースの起動は、協同イメージ閲覧アプリケーションに統合され、転送ボタン４０４が始動されたときに起動されるＵＲＬがアクセスしてもよい。図７Ａ〜図７Ｃに示されるように、転送ユーザ・インタフェース７００、７１０または７２０のうちの１つは、米国ワシントン州シアトルのＯｎｅＭｅｄＮｅｔから入手可能なＢＥＡＭのような安全なデータ転送メカニズムに関連してもよい。米国マサチューセッツ州ニュートンのＬｉｆｅＩｍａｇｅで入手可能にされたもののような、同様のメカニズムが存在する。示されるように、ユーザ・インタフェース７００、７１０または７２０は、転送される患者記録を識別する１つまたは複数のデータフィールド７０２、７１２または７２２の１つまたは複数を有してもよい。フィールド７０２、７１２または７２２は、限定されないが、患者名、患者の生年月日、性別、患者ＩＤ、受入、検討開始日付範囲、検討終了日付範囲、検討ＵＩＤ、などを有してもよい。フィールド７０２、７１２または７２２に、医療イメージングアプリケーションが把握するデータを予め投入してもよい。フィールド７０２、７１２または７２２に、ユーザが供給するデータを投入してもよい。よって、本開示は、患者または検討情報をフィールド７０２、７１２または７２２内に入力するときにもたらされうるエラーの可能性を減少する。フィールド７０２、７１２または７２２内に投入されたデータは、患者のデータとともに受け入れ施設に転送される。
【００２２】
３１４で、医療イメージングアプリケーションは、患者情報および宛先情報を安全なデータ転送メカニズムに送信する。これは、予め投入された情報とともに、データフィールド７０２、７１２または７２２内に提供されたあらゆる付加的なユーザが追加した情報を含んでもよい。宛先情報を協同セッションで参加者が決定してもよく、患者情報をイメージデータに関連するメタデータから取得してもよい。ユーザは参加者情報から生成されたリストから宛先位置を選択してもよく、および／または宛先位置を入力してもよく、そこへ、受け入れ施設のイメージングシステム内への取り込みのため検討内容が関連する患者データと通信される。
【００２３】
３１６で、安全な転送メカニズムは、発信元位置のデータベース内で患者検索を実行する。例えば、安全なデータ転送メカニズムは、ＰＡＣＳデータベースにアクセスして患者のイメージデータおよび他の関連する患者情報を取得してもよい。３１８で、特許データおよび他の情報が宛先位置へ通信される。
【００２４】
よって、上記によると、患者のイメージデータは必要があるまで宛先施設に移動されない。一方でユーザは、診断または適切な治療または判断に至るよう、協同して医療イメージングアプリケーションを通して患者のイメージデータを見ることが可能である。
【００２５】
図８は、図１の環境内で実行される動作例のフローチャート８００を示す。図８のオペレーショナルフローを、例えばホストコンピュータ１０６が前述のようなデータ閲覧アプリケーションを有しないかもしれないときに実行してもよい。８０２で、イメージデータが宛先位置へ通信される。例えば、安全なデータ転送メカニズム１１２を用いて、発信元位置１０４はイメージデータ（例えば患者データ）を宛先位置１０８へ転送してもよい。８０４で、宛先位置１０８でデータ閲覧アプリケーション（例えば医療イメージングアプリケーション）を起動し、ユーザ・インタフェースを表示してもよい。例えば、受け入れ施設の臨床医が患者のイメージデータを見てもよいように、図４のユーザ・インタフェース４００を表示してもよい。
【００２６】
８０６で、協同セッションを開始してもよい。宛先位置１０８の医療スタッフおよび他者がイメージデータを見るため、前述のように協同セッションを開始してもよい。８０８で協力者は、例えば患者の状態を議論するため、イメージデータを見てもよい。受け入れ施設がその患者のケースを引き受けると決定した場合、それから８１０で、患者のイメージデータがローカルＰＡＣＳデータベース（図示せず）へ進められる。例えば、患者のイメージデータを、最初に転送されたとき一時的な格納場所に格納してもよい。患者が移されると決定された後、それから患者のイメージデータを一時的な格納場所からＰＡＣＳデータベースへ移動してもよい。
【００２７】
図９は、図１の環境内で実行される動作例のフローチャート９００を示す。図９のオペレーショナルフローを、例えば、発信元位置１０４が安全なデータ転送メカニズム１１２へのローカルアクセスを持たないときに実行してもよい。９０２で、イメージデータ（例えば、患者検討結果）をアップロードするため、発信元位置１０４に助言依頼を送信してもよい。例えば、宛先位置１０８はデータ閲覧アプリケーション（例えば医療イメージングアプリケーション）内で協同セッションを開始し、ホストコンピュータ１０６を用いて発信元位置１０４からユーザに加わるよう誘ってもよい。勧誘は、電子メール、テキストメッセージなどの形態をとってもよく、医療イメージングアプリケーションからホスト施設のユーザに通信される。
【００２８】
９０４で、ホストコンピュータ１０６のユーザは勧誘を受け入れ、イメージデータを安全なデータ転送サービスプロバイダへ通信してもよい。例えば、クラウドサービス１３０（図１０下方を参照）は、ホスト施設から受け入れ施設へのデータファイルの転送および中間記憶を提供してもよい。あるいはまたは加えて、イメージデータ（例えば患者データファイル）および／または付加された情報を、リモート閲覧のためクラウドサービス１３０で保持および提供してもよい。９０６で、イメージデータおよび／または付加された情報は、受け入れ施設に通信される。宛先位置１０８は、クラウドサービス１３０で安全なデータ転送プロバイダと通信するようになされたサーバコンピュータを有してもよい。
【００２９】
９０８で、データ閲覧アプリケーション（例えば医療イメージングアプリケーション）を起動し、ブラウザを表示してもよい。例えば、受け入れ施設の臨床医が患者ファイルに関連するイメージデータを見てもよいように、図４のブラウザを表示してもよい。９１０で、協同セッションを開始してもよい。宛先位置１０８の医療スタッフおよび他者が患者のイメージデータを見るため、前述のように協同セッションを開始してもよい。９１２で、協力者は、例えば患者の状態を議論するため、患者のイメージデータを見てもよい。
【００３０】
詳細な環境例
図１０は、コンピュータネットワークを介して患者のイメージデータの閲覧、協同および転送を提供する環境１００のさらなる詳細を示す。例えば画像保存通信システム（ＰＡＣＳ）データベース１０５内にある患者イメージファイル（検討結果）のようなデータファイルにアクセスするメカニズムを提供する医療イメージングアプリケーションの一部として、既存のネットワーク内の発信元施設１０４（例えば、病院または他の治療施設）で、サーバコンピュータ１０１を提供してもよい。ＰＡＣＳ技術を用いて、ＰＡＣＳデータベース１０５内に格納されたデータファイルを、医療におけるデジタル画像と通信（ＤＩＣＯＭ）通信プロトコルを用いて取り出し、例えば、診断ワークステーション（ホストコンピュータ１０６）へ転送してもよく、そこで医療専門家が閲覧のためそれを処理する。診断ワークステーションを、例えば病院内ネットワークのようなローカルエリアネットワーク（ＬＡＮ）１０３を介して、または例えばネットワーク１１４（広域ネットワーク（ＷＡＮ）またはインターネット）を介してリモートで（図示せず）、ＰＡＣＳデータベース１０５に接続してもよい。ＤＩＣＯＭ問い合わせプロトコルを用いてＰＡＣＳデータベース１０５からメタデータにアクセスしてもよく、ＬＡＮ１０３上でＤＩＣＯＭ通信プロトコルを用いて情報を共有してもよい。サーバコンピュータ１０１は、カナダアルバータ州カルガリーのＣａｌｇａｒｙ  Ｓｃｉｅｎｔｉｆｉｃ，Ｉｎｃ．，から入手可能なＲｅｓｏｌｕｔｉｏｎＭＤサーバを備えてもよい。
【００３１】
サーバコンピュータ１０１は、安全な転送メカニズムのような他の機能を提供する１つまたは複数のサーバであってもよく、それによりＰＡＣＳデータベース１０５内の患者データファイルを、他の宛先位置１０８Ａおよび１０８Ｂの１つまたは複数に通信してもよい。宛先位置１０８Ａおよび１０８Ｂは、医療イメージアプリケーションおよび安全なデータ転送メカニズムのうち１つまたは両方を有するサーバコンピュータ１０１のようなサーバをそれぞれ有してもよい。安全なデータ転送メカニズムは、ローカルＰＡＣＳデータベース１０５から情報を取り出し、それを遠隔の受け入れ施設へ転送してもよい。転送はポイントツーポイント（例えば直接発信元施設１０４から宛先位置１０８Ａまたは１０８Ｂへ）でもよく、または患者のイメージデータを転送する媒介としてはたらきうるクラウドサービス１３０のようなサービスを介してもよい。クラウドサービス１３０はまた、患者のイメージデータを提供してもよい。安全なデータ転送メカニズムは、エンドポイント間で安全に転送するよう安全なデータ交換（ＳＤＸ）転送プロトコルを使用してもよい。
【００３２】
サーバ１１１Ａは、例えばネットワーク１１４またはローカルエリアネットワーク（ＬＡＮ）１０３を介して、発信元位置１０４または宛先位置１０８Ａまたは１０８Ｂ、クラウドサービス１３０、および１つまたは複数のクライアントコンピュータ１１０Ａ、１１０Ｂ、１１０Ｃ、１１０Ｎへ接続される。前述のように、クライアントコンピュータ１１０Ａ、１１０Ｂはそれぞれの１つまたは複数の宛先位置１０８Ａ、１０８Ｂに関連するかもしれないが、クライアントコンピュータ１１０Ｃ、１１０Ｎはそれぞれの宛先位置に関連しないかもしれない。しかし、それらは参加装置として協同セッションに加わることが可能である。サーバ１１１Ａはサーバリモートアクセスアプリケーション１１１Ｂを有し、サーバリモートアクセスアプリケーション１１１Ｂは、種々のクライアントコンピュータ（後述）を、サーバコンピュータ１０１が提供する医療イメージングアプリケーションのようなアプリケーションに接続するのに使用される。サーバリモートアクセスアプリケーション１１１Ｂは、環境１００にわたり、接続のマーシャリングおよびアプリケーションプロセス管理を提供する。サーバリモートアクセスアプリケーション１１１Ｂは、リモートクライアントコンピュータからの接続をさばき、クライアントコンピュータと医療イメージングアプリケーションの間の実行中の通信セッションを仲介してもよい。例えば、リモートアクセスアプリケーション１１１Ｂは、カナダアルバータ州カルガリーのＣａｌｇａｒｙＳｃｉｅｎｔｉｆｉｃ，Ｉｎｃ．，から入手可能なＰＵＲＥＷＥＢアーキテクチャの一部であってもよく、それは協同機能を含む。
【００３３】
クライアントコンピュータ１１０Ａおよび１１０Ｂは、例えばインターネットのようなネットワーク１１４を介してサーバ１１１Ａに接続される、ＩＰＨＯＮＥ、アンドロイド装置、ウィンドウズフォンまたはブラックベリーのような無線ハンドヘルド装置であってもよい。同様に、参加コンピュータは、通信ネットワーク１１４によりサーバ１１１Ａへ接続されたデスクトップ／ノートブックパーソナルコンピュータ１１０Ｃまたはタブレット装置１１０Ｎを含んでもよい。ネットワーク１１４への接続は、例えば、Ｗｉ−Ｆｉ（ＩＥＥＥ８０２．１１ｘ）、ＷｉＭａｘ（ＩＥＥＥ８０２．１６）、イーサネット、３Ｇ、４Ｇ、ＬＴＥなどあらゆるタイプの接続であってもよいことを述べておく。
【００３４】
クライアントリモートアクセスアプリケーション１２１Ａ、１２１Ｂ、１２１Ｃ、１２１Ｎを、データおよび／または画像を人間が理解できる方法で表示し、例えば、クライアントコンピュータ１１０Ａ、１１０Ｂ、１１０Ｃ、１１０Ｎのグラフィカルディスプレイとタッチスクリーン１１３Ａまたはグラフィカルディスプレイ１１３Ｂ／１１３Ｎおよびキーボード１１６Ｂ／１１６Ｃをそれぞれ使用してアプリケーションプログラムと対話するよう、受信されたユーザの命令に基いてユーザの入力データを判断する、ユーザの対話を提供するよう設計してもよい。
【００３５】
よって環境１００は、サーバ１１１Ａを通して、ユーザが協同して医療イメージングアプリケーションと対話することを可能にする。そのようなものとして、診断ワークステーション（ホストコンピュータ１０６）および参加中の参加コンピュータ１１０Ａ、１１０Ｂ、１１０Ｃ〜１１０Ｎのそれぞれのユーザは、患者のイメージデータの表示の同期されたビューを表示してもよい。ホストコンピュータはモバイル装置であってもよく、参加装置はリモートコンピュータであってもよく、診断ワークステーションであってもよいことを述べておく。
【００３６】
代わりにまたは加えて、ユーザ・インタフェースプログラムがサーバ１１１Ａ上で実行され、それはそれから、例えばクライアントコンピュータ１１０Ａ、１１０Ｂ上で実行さされるｗｅｂブラウザのような一般的なクライアントアプリケーションにより、ＵＲＬを介してアクセスされる。ユーザ・インタフェースは、例えばハイパーテキストマークアップ言語ＨＴＭＬ５を用いて実行される。代わりにまたは加えて、サーバ１１１Ａが参加コンピュータ１１０Ａ、１１０Ｂ、１１０Ｃ〜１１０Ｎとの協同セッションに参加してもよい。サーバ１１１Ａおよびクライアントコンピュータ１１０Ａ、１１０Ｂ、１１０Ｃまたは１１０Ｎを、図１１の汎用計算装置に示されたようなハードウェアを用いて実行してもよい。
【００３７】
本開示を特定のオペレーショナルフローに関連して記載したが、他のフローが可能である。例えば、患者のイメージデータを、医療イメージングアプリケーションのあらゆるインタフェースからプッシュしてもよい。コンテキストレベルの統合を提供してもよく、そこではデータがイメージデータを要求した特定の協力者によりプッシュされる。例えば、協同セッションのユーザが宛先位置１０８Ａにいて、そのときそのユーザが患者のイメージデータを要求する場合、それからホストが宛先位置１０８Ａを選択するのではなくデータが自動的に宛先位置１０８Ａへ送られるであろう。また、コンテキストレベルの統合は、患者のイメージデータを、テストデータベース拠点または教育データベース拠点へ転送するかを自動的に判断する。さらにいくつかの実施で、協同セッション内のユーザは、転送ボタンを始動して転送を開始してもよい。なおさらに、発信元位置１０４、宛先位置１０８Ａ、１０８Ｂおよび／または提供されたクラウド１３０は、どこに患者のイメージデータファイルが転送されたかのオーディット・トレールを保持してもよい。コンプライアンスの目的で、および／または他の理由の中で冗長な転送を防ぐため、どこに患者のイメージデータファイルが転送されたかの記録を保管するよう、この情報を保持してもよい。
【００３８】
本開示を患者のイメージデータおよび医療施設間のその確実な転送に関して記載したが、あらゆるタイプのイメージデータをエンドポイント間で協同で閲覧し転送してもよいことを述べておく。
【００３９】
多数の他の汎用または特殊用途コンピュータシステム環境または構成を、使用してもよい。使用に適切でありうる公知の計算システム、環境、および／または構成は、限定されないが、パーソナルコンピュータ、サーバコンピュータ、ハンドヘルドまたはラップトップ装置、マルチプロセッサシステム、マイクロプロセッサベースシステム、ネットワークパーソナルコンピュータ（ＰＣ）、ミニコンピュータ、メインフレームコンピュータ、組込システム、あらゆる前述のシステムまたは装置を含む分散コンピューティング環境などを含む。
【００４０】
プログラムモジュールのような、コンピュータにより実行されるコンピュータ実行可能な命令を使用してもよい。一般的に、プログラムモジュールは、特定のタスクを実行する、または特定の抽象データ型を実施するルーチン、プログラム、オブジェクト、構成要素、データ構造などを含む。タスクが通信ネットワークまたは他のデータ送信媒体を通してリンクされたリモート処理装置により実行される場合、分散コンピューティング環境を使用してもよい。分散コンピューティング環境で、プログラムモジュールおよび他のデータを、メモリ記憶装置を含むローカルおよびリモート両方のコンピュータ記憶媒体に置いてもよい。
【００４１】
図１１は、実施形態の例および態様を実行しうる例示的なコンピューティング環境を示す。コンピュータシステム環境は、適切なコンピューティング環境の単に１つの例であり、使用または機能の範囲に関して限定の示唆を意図するものではない。
【００４２】
図１１を参照すると、本明細書に記載された態様を実行する例示的なシステムは、計算装置１１００のような計算装置を有する。その最も基本的な構成で、計算装置１１００は通常、少なくとも１つの処理ユニット１１０２およびメモリ１１０４を有する。計算装置の正確な構成およびタイプによって、メモリ１１０４は（ランダムアクセスメモリ（ＲＡＭ）のような）揮発性、（読み出し専用メモリ（ＲＯＭ）、フラッシュメモリ、などのような）不揮発性、または２種類のいくつかの組み合わせであってもよい。この最も基本的な構成は、図１１の点線１１０６により示される。
【００４３】
計算装置１１００は、付加された特徴／機能を有してもよい。例えば計算装置１１００は、限定されないが、磁気または光ディスク、またはテープを含む、付加された（着脱可能なおよび／または着脱不可能な）記憶装置を有してもよい。そのような付加された記憶装置は、図１１の着脱可能な記憶装置１１０８および着脱不可能な記憶装置１１１０で示される。
【００４４】
計算装置１１００は、通常はさまざまなコンピュータ可読な媒体を有する。コンピュータ可読な媒体は装置１１００がアクセス可能なあらゆる利用可能な媒体でありえ、揮発性および不揮発性の両方の媒体、着脱可能および着脱不可能な両方の媒体を含む。
【００４５】
コンピュータ記憶媒体は、コンピュータ可読な命令、データ構造、プログラムモジュールまたは他のデータのような情報のあらゆる記憶方法または技術で実行される、揮発性および不揮発性、および着脱可能および着脱不可能な媒体を含む。メモリ１１０４、着脱可能な記憶装置１１０８、および着脱不可能な記憶装置１１１０は、全てコンピュータ記憶媒体の例である。コンピュータ記憶媒体は、限定されないが、ＲＡＭ、ＲＯＭ、電気的に消去可能プログラム読み出し専用メモリ（ＥＥＰＲＯＭ）、フラッシュメモリまたは他のメモリ技術、ＣＤ−ＲＯＭ、デジタル多用途ディスク（ＤＶＤ）または他の光学記憶装置、磁気カセット、磁気テープ、磁気ディスク装置または他の磁気装置、または所望の情報を格納するのに使用可能で計算装置１１００がアクセス可能なあらゆる他の媒体を含む。あらゆるそのようなコンピュータ記憶媒体は、計算装置１１００の一部であってもよい。
【００４６】
計算装置１１００は、装置が他の装置と通信するのを可能にする通信接続部（複数可）１１１２を有してもよい。計算装置１１００はまた、キーボード、マウス、ペン、音声入力装置、タッチ入力装置、などの入力装置（複数可）１１１４を有してもよい。ディスプレイ、スピーカ、プリンタなどのような出力装置（複数可）１１１６もまた有してもよい。全てのこれらの装置は当業界で公知であり、ここで詳細に述べる必要はない。
【００４７】
本明細書に記載した種々の技術を、ハードウェアまたはソフトウェア、または適切な場合は両方の組み合わせと関連して実行してよいことを理解するべきである。よって、現在開示する主題の方法および機器、またはその特定の態様または部分は、フロッピーディスク、ＣＤ−ＲＯＭ、ハードドライブ、またはあらゆる他の機械可読な記憶媒体のような有形の媒体内に実現されるプログラムコード（すなわち命令）の形をとってもよく、プログラムコードがコンピュータのような装置によりロードおよび実行されるとき、その装置は現在開示された主題を実践する機器になる。プログラム可能なコンピュータ上でプログラムコードを実行する場合、計算装置は通常、プロセッサ、プロセッサが読出し可能な記憶媒体（揮発性および不揮発性メモリおよび／または記憶構成要素を含む）、少なくとも１つの入力装置、および少なくとも１つの出力装置を含む。１つまたは複数のプログラムは、現在開示された主題と関連して記載されたプロセスを、例えばアプリケーションプログラミングインタフェース（ＡＰＩ）、再使用可能な制御機能などの使用を通して実行または利用してもよい。そのようなプログラムを、コンピュータシステムと通信するハイレベル手続き指向またはオブジェクト指向プログラミング言語で実施してもよい。しかし、プログラム（複数可）を、必要に応じてアセンブリまたは機械言語で実施することが可能である。どのケースでも、言語はコンパイルまたはインタプリタ言語であってもよく、ハードウェアの実行と組み合わせてもよい。
【００４８】
主題を構造の機能および／または方法論的作用に特定した言葉で記載したが、添付の請求項に定義された主題は、前述の特定の機能または作用に必ずしも限定されないことを理解すべきである。むしろ前述の特定の機能または作用は、請求項を実行する形態の例として開示される。
【図１】
2015524112.tif 000003
【図２】
2015524112.tif 000004
【図３】
2015524112.tif 000005
【図４】
2015524112.tif 000006
【図５】
2015524112.tif 000007
【図６】
2015524112.tif 000008
【図７Ａ】
2015524112.tif 000009
【図７Ｂ】
2015524112.tif 000010
【図７Ｃ】
2015524112.tif 000011
【図８】
2015524112.tif 000012
【図９】
2015524112.tif 000013
【図１０】
2015524112.tif 000014
【図１１】
2015524112.tif 000015
【国際調査報告】
2015524112.tif 000016
2015524112.tif 000017